(57)【要約】【課題】パチンコ遊技機とスロットマシンとの入れ替え作業を簡単に行うことができ、作業効率の向上と人件費の抑制を実現できる遊技機固定装置を提供する。【解決手段】下部固定ユニット１０は、パチンコ遊技機５２から排出される排出玉を受け入れるためのアウトタンク２６を取り付け可能な下部プレート１１と、膳板５０に埋め込まれる下部ナット部材２１と、下部ナット部材２１に手動で螺着可能な下部締結部材２０と、を備える。下部締結部材２０を下部ナット部材２１に螺着させることで、下部プレート１１を膳板５０の上に固定可能とした。【選択図】図２
2018007888.tif 000002
【特許請求の範囲】
【請求項１】
遊技機島に遊技機を固定するための遊技機固定装置であって、
遊技機を載置するための膳板に固定される下部固定ユニットを備え、
前記下部固定ユニットは、前記遊技機から排出される排出玉を受け入れるためのアウトタンクを取り付け可能な下部プレートと、前記膳板に埋め込まれる下部ナット部材と、前記下部ナット部材に手動で螺着可能な下部締結部材と、を備え、
前記下部締結部材を前記下部ナット部材に螺着させることで、前記下部プレートを前記膳板の上に固定可能であり、
前記下部締結部材を前記下部ナット部材から取り外すことで、前記下部プレートを前記膳板の上から取り外し可能であることを特徴とする、遊技機固定装置。
【請求項２】
前記下部プレートを前記膳板に回動可能に取り付けるための蝶番を備えることを特徴とする、請求項１記載の遊技機固定装置。
【請求項３】
遊技機の上部に臨むに上枠に固定される上部固定ユニットを備え、
前記上部固定ユニットは、前記上枠に着脱可能に取り付けられる上部プレートと、前記上枠に埋め込まれる上部ナット部材と、前記上部ナット部材に手動で螺着可能な上部締結部材と、を備え、
前記上部締結部材を前記上部ナット部材に螺着させることで、前記上部プレートを前記上枠に固定可能であり、
前記上部締結部材を前記上部ナット部材から取り外すことで、前記上部プレートを前記上枠から取り外し可能であることを特徴とする、請求項１又は２記載の遊技機固定装置。
【発明の詳細な説明】
【技術分野】
【０００１】
この発明は、遊技機島に遊技機を固定するための遊技機固定装置に関する。
【背景技術】
【０００２】
ホールでは、遊技機島と呼ばれる構造物に遊技機が並設される。遊技機島は木で枠組みされたものが一般的であり、遊技機を載置する膳板や、遊技機の上面に臨む上枠などを備えている。
【０００３】
また、ホールに設置される遊技機の種類としては、大きく分けてパチンコ遊技機とスロットマシンとがあるが、両者は構造が異なるため遊技機島へ設置する際の構成も異なる。
【０００４】
具体的には、パチンコ遊技機の場合、遊技機から排出された排出玉を計数するために、遊技機島の膳板にアウトタンク装置を設置し、このアウトタンク装置を内蔵するようにパチンコ遊技機を設置する（例えば特許文献１参照）。また、パチンコ玉の供給装置を上枠に取り付けて遊技機の内部に導入する必要がある。
【０００５】
一方、スロットマシンの場合は、アウトタンク装置やパチンコ玉の供給装置が必要ないので、平らな膳板の上にスロットマシンの筐体を固定する。
【先行技術文献】
【特許文献】
【０００６】
【特許文献１】特開２００６−２３８９９９号公報
【発明の概要】
【発明が解決しようとする課題】
【０００７】
上記したように、パチンコ遊技機とスロットマシンとでは設置方法が異なる。このため、両者を入れ替えるような作業が発生すると、アウトタンク装置やパチンコ玉の供給装置の着脱作業が必要となり、工事が煩雑となっていた。例えばパチンコ遊技機の代わりにスロットマシンを設置する場合、ネジを打ち込んで膳板に固定されたアウトタンク装置を取り外したり、ネジを打ち込んで上枠に固定されたパチンコ玉の供給装置を取り外したりする必要があった。逆に、スロットマシンの代わりにパチンコ遊技機を設置する場合、ネジを打ち込んで膳板にアウトタンク装置を固定したり、ネジを打ち込んで上枠にパチンコ玉の供給装置を固定したりする必要があった。このため、入れ替え作業のたびに大工仕事が発生し、施工にかかる人件費が増大するという問題があった。
【０００８】
そこで、本発明は、パチンコ遊技機とスロットマシンとの入れ替え作業を簡単に行うことができ、作業効率の向上と人件費の抑制を実現できる遊技機固定装置を提供することを課題とする。
【課題を解決するための手段】
【０００９】
本発明は、上記した課題を解決するためになされたものであり、以下を特徴とする。
【００１０】
請求項１記載の発明は、遊技機島に遊技機を固定するための遊技機固定装置であって、遊技機を載置するための膳板に固定される下部固定ユニットを備え、前記下部固定ユニットは、前記遊技機から排出される排出玉を受け入れるためのアウトタンクを取り付け可能な下部プレートと、前記膳板に埋め込まれる下部ナット部材と、前記下部ナット部材に手動で螺着可能な下部締結部材と、を備え、前記下部締結部材を前記下部ナット部材に螺着させることで、前記下部プレートを前記膳板の上に固定可能であり、前記下部締結部材を前記下部ナット部材から取り外すことで、前記下部プレートを前記膳板の上から取り外し可能であることを特徴とする。
【００１１】
請求項２に記載の発明は、上記した請求項１に記載の発明の特徴点に加え、前記下部プレートを前記膳板に回動可能に取り付けるための蝶番を備えることを特徴とする。
【００１２】
請求項３に記載の発明は、上記した請求項１又は２に記載の発明の特徴点に加え、遊技機の上部に臨むに上枠に固定される上部固定ユニットを備え、前記上部固定ユニットは、前記上枠に着脱可能に取り付けられる上部プレートと、前記上枠に埋め込まれる上部ナット部材と、前記上部ナット部材に手動で螺着可能な上部締結部材と、を備え、前記上部締結部材を前記上部ナット部材に螺着させることで、前記上部プレートを前記上枠に固定可能であり、前記上部締結部材を前記上部ナット部材から取り外すことで、前記上部プレートを前記上枠から取り外し可能であることを特徴とする。
【発明の効果】
【００１３】
請求項１に記載の発明は上記の通りであり、下部固定ユニットは、遊技機から排出される排出玉を受け入れるためのアウトタンクを取り付け可能な下部プレートと、膳板に埋め込まれる下部ナット部材と、下部ナット部材に手動で螺着可能な下部締結部材と、を備え、下部締結部材を下部ナット部材に螺着させることで、下部プレートを膳板の上に固定可能である。よって、パチンコ遊技機を遊技機島に設置する場合、手動締結で下部プレートを膳板に固定し、この下部プレートにアウトタンクを取り付けるだけで、ネジを打ち込んだりすることなく膳板にアウトタンク装置を固定することができる。
【００１４】
また、下部締結部材を下部ナット部材から取り外すことで、下部プレートを膳板の上から取り外し可能である。よって、スロットマシンを遊技機島に設置する場合、下部締結部材を緩めて下部プレートを取り外すだけで、膳板からアウトタンク装置を取り外すことができる。
【００１５】
このように、パチンコ遊技機とスロットマシンとの入れ替えを行う際に、穴あけ作業や打ち込み工具などを使用した作業などの大工仕事が発生しないので、作業効率の向上と人件費の抑制を実現することができる。
【００１６】
また、請求項２に記載の発明は上記の通りであり、下部プレートを膳板に回動可能に取り付けるための蝶番を備える。このような構成によれば、膳板の上から取り外した下部プレートを退避位置に回動させることができるので、取り外した下部プレートを保管する必要がなく、管理が容易である。また、下部プレートを再度取り付けたい場合には、下部プレートを回動させるだけで膳板の上に移動できるので、位置決めが容易であり、作業性が向上する。
【００１７】
また、請求項３に記載の発明は上記の通りであり、上部固定ユニットは、上枠に着脱可能に取り付けられる上部プレートと、上枠に埋め込まれる上部ナット部材と、上部ナット部材に手動で螺着可能な上部締結部材と、を備え、上部締結部材を上部ナット部材に螺着させることで、上部プレートを上枠に固定可能であり、上部締結部材を上部ナット部材から取り外すことで、上部プレートを上枠から取り外し可能である。このような構成によれば、上部固定ユニットが手動で着脱できるので、パチンコ遊技機用の上部固定ユニットとスロットマシン用の上部固定ユニットとを入れ替える作業も容易に行うことができる。よって、穴あけ作業や打ち込み工具などを使用した作業などの大工仕事が発生しないので、作業効率の向上と人件費の抑制を実現することができる。
【図面の簡単な説明】
【００１８】
【図１】（ａ）下部固定ユニットの背面図、（ｂ）下部プレートの平面図である。
【図２】下部固定ユニットの側面図であって、（ａ）パチンコ遊技機用に下部固定ユニットを設置した状態の図、（ｂ）スロットマシン用に下部固定ユニットを取り外した状態の図である。
【図３】上部固定ユニットの側面図であって、（ａ）パチンコ遊技機用の上部固定ユニットを示す図、（ｂ）スロットマシン用の上部固定ユニットを示す図である。
【図４】パチンコ遊技機の設置状態を示す側面図である。
【図５】スロットマシンの設置状態を示す側面図である。
【発明を実施するための形態】
【００１９】
本発明の実施形態について、図を参照しながら説明する。
【００２０】
本実施形態に係る遊技機固定装置は、枠組みされた遊技機島に遊技機としてのパチンコ遊技機５２またはスロットマシン５３を固定するためのものである。
【００２１】
本実施形態に係る遊技機島は、一対の側枠（図示せず）によって１台分の遊技機の区画が形成されており、この一対の側枠の間には、図４及び図５に示すように、膳板５０及び上枠５１が水平に架設されている。膳板５０は遊技機を載置するための板である。また、上枠５１は遊技機の上部に臨む板であり、遊技機の上部を支持可能となっている。遊技機を膳板５０に載置すると、上枠５１が遊技機の上方に位置するようになっている。
【００２２】
本実施形態に係る遊技機固定装置は、膳板５０に固定される下部固定ユニット１０と、上枠５１に固定される上部固定ユニット３０と、を備える。
【００２３】
下部固定ユニット１０は、図１及び図２に示すように、下部プレート１１と、下部締結部材２０と、下部ナット部材２１と、蝶番２２と、を備えている。
【００２４】
下部プレート１１は、膳板５０の後部の角に沿って取り付け可能な側面視Ｌ字形の金具であり、膳板５０の上面に載置可能な上板１２と、膳板５０の背面に当接可能な背板１３と、を備える。
【００２５】
上板１２には、図１（ｂ）に示すように、アウトタンク取付部１２ａと、保持部材取付部１２ｂと、締結部材取付部１２ｃと、が設けられている。
【００２６】
アウトタンク取付部１２ａは、アウトタンク２６を取り付けるための部位である。なお、アウトタンク２６は、パチンコ遊技機５２から排出される排出玉を受け入れるための容器であり、下方に開口する玉排出口経路を備えている。アウトタンク２６は、この玉排出口経路を通じて外部と連通しており、外部に玉を排出できるようになっている。
【００２７】
このアウトタンク取付部１２ａには、図１（ａ）に示すように、アウトタンク支持部材２５が取り付けられ、このアウトタンク支持部材２５を介して下部プレート１１の上面にアウトタンク２６が取り付けられる（図４参照）。アウトタンク２６は、アウトタンク支持部材２５に対して着脱自在となっており、後述するようにスロットマシン５３を設置する際には、アウトタンク２６を取り外して使用してもよい。
【００２８】
保持部材取付部１２ｂは、パチンコ遊技機５２の底板を保持するための保持部材２７を取り付けるための部位である。この保持部材取付部１２ｂは、アウトタンク取付部１２ａの両側に設けられており、左右の保持部材取付部１２ｂにそれぞれ保持部材２７が取り付けられている。保持部材２７は、例えばクランプ式の装置であり、パチンコ遊技機５２の底板を挟み込むなどの方法によりパチンコ遊技機５２を保持する。このように保持部材２７がパチンコ遊技機５２を保持することで、膳板５０に対してパチンコ遊技機５２を固定することができる。
【００２９】
締結部材取付部１２ｃは、後述する下部締結部材２０を取り付けるための部位である。この締結部材取付部１２ｃは、上板１２の両端付近に設けられており、左右の締結部材取付部１２ｃにそれぞれ下部締結部材２０が取り付けられている。この締結部材取付部１２ｃには、下部締結部材２０の軸部２０ｂを貫通可能な穴が設けられている。
【００３０】
締結部材取付部１２ｃの孔を貫通するように取り付けられた下部締結部材２０は、後述する下部ナット部材２１に対して手動で螺着可能となっている。具体的には、下部締結部材２０は、頭部に設けられて手動操作可能な摘み部２０ａと、摘み部２０ａの下方に設けられておねじをきった軸部２０ｂと、からなる。下部プレート１１を膳板５０の上に配置すると、下部締結部材２０の軸部２０ｂの先端が後述する下部ナット部材２１に臨むようになっており、この状態で摘み部２０ａを持って下部締結部材２０を締結すると、軸部２０ｂのおねじが下部ナット部材２１に螺着するようになっている。
【００３１】
下部ナット部材２１は、上述した下部締結部材２０のおねじに螺合するめねじを有しており、予め膳板５０に埋め込まれている。この下部ナット部材２１は、図２（ｂ）に示すように、下部プレート１１を膳板５０の上から取り外したときに、膳板５０の上面から突出しないように埋め込まれている。
【００３２】
蝶番２２は、下部プレート１１を膳板５０に回動可能に取り付けるためのものであり、膳板５０の背面に固定される固定片２２ａと、下部プレート１１の背板１３に固定される可動片２２ｂと、を備える。この蝶番２２が下部プレート１１と膳板５０とを連結しているため、図２（ｂ）に示すように、膳板５０の上から取り外した下部プレート１１を後方へ回動させて、膳板５０の上面を露出させることができるようになっている。
【００３３】
このような下部固定ユニット１０によれば、パチンコ遊技機５２を膳板５０に配置するときには、図２（ａ）に示すように、下部プレート１１を膳板５０の上に配置して下部締結部材２０を下部ナット部材２１に螺着させることで、下部プレート１１を膳板５０の上に固定させる。そして、下部プレート１１には、パチンコ遊技機５２が使用するアウトタンク２６や、パチンコ遊技機５２を固定するための保持部材２７が取り付け可能であるので、図４に示すように、これらの装置を使用してパチンコ遊技機５２を設置することができる。
【００３４】
また、スロットマシン５３を膳板５０に配置するときには、図２（ｂ）に示すように、下部締結部材２０を下部ナット部材２１から取り外し、下部プレート１１を膳板５０の上から取り外して後方に回動させる。これにより、膳板５０の平らな上面が露わとなるので、図５に示すように、スロットマシン５３を膳板５０に載置することができる。
【００３５】
次に、上部固定ユニット３０は、図３に示すように、上部プレート３１と、上部締結部材４０と、上部ナット部材４１と、を備えている。
【００３６】
上部プレート３１は、上枠５１の後方から着脱可能に取り付けられる側面視コ字形の金具であり、上枠５１の上面に当接可能な上板３２と、上枠５１の背面に当接可能な背板３３と、上枠５１の下面に当接可能な下板３４と、を備える。上板３２の両端付近には、後述する上部締結部材４０がそれぞれ１つずつ取り付けられている。
【００３７】
上部締結部材４０は、後述する上部ナット部材４１に手動で螺着可能な部材である。この上部締結部材４０は、下部締結部材２０と同様の部材であり、頭部に設けられて手動操作可能な摘み部４０ａと、摘み部４０ａの下方に設けられておねじをきった軸部４０ｂと、からなる。上部締結部材４０の軸部４０ｂの先端は、上板３２を貫通して上部ナット部材４１に臨むようになっており、この状態で摘み部４０ａを持って上部締結部材４０を締結すると、軸部４０ｂのおねじが上部ナット部材４１に螺着するようになっている。
【００３８】
上部ナット部材４１は、上述した上部締結部材４０のおねじに螺合するめねじを有しており、予め上枠５１に埋め込まれている。この上部ナット部材４１は、図３に示すように、上部プレート３１を上枠５１から取り外したときに、上枠５１の上面から突出しないように埋め込まれている。
【００３９】
なお、本実施形態に係る上部固定ユニット３０としては、図３（ａ）に示すようなパチンコ遊技機５２用の上部固定ユニット３０と、図３（ｂ）に示すようなスロットマシン５３用の上部固定ユニット３０と、が設けられている。この２種類の上部固定ユニット３０を選択的に使用することで、パチンコ遊技機５２を設置するか、スロットマシン５３を設置するかを変更できるようになっている。
【００４０】
なお、パチンコ遊技機５２用の上部固定ユニット３０には、パチンコ玉の供給装置やパチンコ遊技機５２の上部を固定するための装置などを取り付けるためのパチンコ遊技機用固定具４５が設けられている。
【００４１】
一方、スロットマシン５３用の上部固定ユニット３０には、スロットマシン５３の上部を固定するための装置などを取り付けるためのスロットマシン用固定具４６が設けられている。
【００４２】
このような上部固定ユニット３０によれば、パチンコ遊技機５２を上枠５１に配置するときには、図４に示すように、上枠５１の後方から、パチンコ遊技機５２用の上部固定ユニット３０を挿し込み、上部締結部材４０を上部ナット部材４１に螺着させることで、上部プレート３１を上枠５１に固定する。このようにパチンコ遊技機５２用の上部固定ユニット３０を取り付けることで、上部固定ユニット３０を介してパチンコ遊技機５２を遊技機島に固定したり、上部固定ユニット３０に固定したパチンコ玉の供給装置をパチンコ遊技機５２で使用したりすることができる。
【００４３】
また、スロットマシン５３を上枠５１に配置するときには、図５に示すように、上枠５１の後方から、スロットマシン５３用の上部固定ユニット３０を挿し込み、上部締結部材４０を上部ナット部材４１に螺着させることで、上部プレート３１を上枠５１に固定する。このようにスロットマシン５３用の上部固定ユニット３０を取り付けることで、上部固定ユニット３０を介してスロットマシン５３を遊技機島に固定することができる。
【００４４】
以上説明したように、本実施形態によれば、下部固定ユニット１０は、パチンコ遊技機５２から排出される排出玉を受け入れるためのアウトタンク２６を取り付け可能な下部プレート１１と、膳板５０に埋め込まれる下部ナット部材２１と、下部ナット部材２１に手動で螺着可能な下部締結部材２０と、を備え、下部締結部材２０を下部ナット部材２１に螺着させることで、下部プレート１１を膳板５０の上に固定可能である。よって、パチンコ遊技機５２を遊技機島に設置する場合、手動締結で下部プレート１１を膳板５０に固定し、この下部プレート１１にアウトタンク２６を取り付けるだけで、ネジを打ち込んだりすることなく膳板５０にアウトタンク装置を固定することができる。
【００４５】
また、下部締結部材２０を下部ナット部材２１から取り外すことで、下部プレート１１を膳板５０の上から取り外し可能である。よって、スロットマシン５３を遊技機島に設置する場合、下部締結部材２０を緩めて下部プレート１１を取り外すだけで、膳板５０からアウトタンク装置を取り外すことができる。
【００４６】
このように、パチンコ遊技機５２とスロットマシン５３との入れ替えを行う際に、穴あけ作業や打ち込み工具などを使用した作業などの大工仕事が発生しないので、作業効率の向上と人件費の抑制を実現することができる。
【００４７】
また、下部プレート１１を膳板５０に回動可能に取り付けるための蝶番２２を備える。このような構成によれば、膳板５０の上から取り外した下部プレート１１を退避位置に回動させることができるので、取り外した下部プレート１１を保管する必要がなく、管理が容易である。また、下部プレート１１を再度取り付けたい場合には、下部プレート１１を回動させるだけで膳板５０の上に移動できるので、位置決めが容易であり、作業性が向上する。
【００４８】
また、上部固定ユニット３０は、上枠５１に着脱可能に取り付けられる上部プレート３１と、上枠５１に埋め込まれる上部ナット部材４１と、上部ナット部材４１に手動で螺着可能な上部締結部材４０と、を備え、上部締結部材４０を上部ナット部材４１に螺着させることで、上部プレート３１を上枠５１に固定可能であり、上部締結部材４０を上部ナット部材４１から取り外すことで、上部プレート３１を上枠５１から取り外し可能である。このような構成によれば、上部固定ユニット３０が手動で着脱できるので、パチンコ遊技機５２用の上部固定ユニット３０とスロットマシン５３用の上部固定ユニット３０とを入れ替える作業も容易に行うことができる。よって、穴あけ作業や打ち込み工具などを使用した作業などの大工仕事が発生しないので、作業効率の向上と人件費の抑制を実現することができる。
【符号の説明】
【００４９】
１０  下部固定ユニット
１１  下部プレート
１２  上板
１２ａ  アウトタンク取付部
１２ｂ  保持部材取付部
１２ｃ  締結部材取付部
１３  背板
２０  下部締結部材
２０ａ  摘み部
２０ｂ  軸部
２１  下部ナット部材
２２  蝶番
２２ａ  固定片
２２ｂ  可動片
２５  アウトタンク支持部材
２６  アウトタンク
２７  保持部材
３０  上部固定ユニット
３１  上部プレート
３２  上板
３３  背板
３４  下板
４０  上部締結部材
４０ａ  摘み部
４０ｂ  軸部
４１  上部ナット部材
４５  パチンコ遊技機用固定具
４６  スロットマシン用固定具
５０  膳板
５１  上枠
５２  パチンコ遊技機（遊技機）
５３  スロットマシン（遊技機）
【図１】
2018007888.tif 000003
【図２】
2018007888.tif 000004
【図３】
2018007888.tif 000005
【図４】
2018007888.tif 000006
【図５】
2018007888.tif 000007